(57)【要約】本発明は、錠、殊にドア用の錠であって、殊にドア障子内に差込可能な錠シリンダー及びシャフトを備え、該シャフトが２つの区分を有し、この場合にシャフトの各区分が端部にそれぞれハンドル、有利には回転ノブ若しくはレバーを有していて、認証コードの検出の後にカップリングを介して互いに作用結合されるようになっている形式のものに関する。該錠を改善して、錠の構造を簡単にして、殊に唯一の錠シリンダーを種々のドアに利用可能にし、かつ錠止部分の容易で簡単かつ確実な操作を可能にするために、本発明に基づき、カップリング（１１）が、シャフト（３）の第１の区分（５）の第２の部分（１０）の受容部（１８）内に案内された少なくとも２つ、有利には４つ若しくは４つより多い転がり部材（１７）を有しており、該転がり部材が、シャフト（３）の第１の区分（５）の第１の部分（９）と第２の部分（１０）との間の作用結合を生ぜしめるために、半径方向運動可能若しくは軸線方向運動可能なスライダー（２２）を用いて、シャフト（３）の第１の区分（５）の第１の部分（９）の周方向に延びる凹設部（２０）内へ押し込み可能である。
2005520956.tif 000002
【特許請求の範囲】
【請求項１】
錠、殊にドア用の錠であって、殊にドア障子内に差込可能な錠シリンダー及びシャフトを備えており、シャフトが２つの区分を有し、該シャフトの前記各区分が端部にそれぞれハンドル、有利には回転ノブ若しくはレバーを有していて、認証コードの検出の後にカップリングを介して互いに作用結合されるようになっている形式のものにおいて、
カップリング（１１）が、シャフト（３）の第１の区分（５）の第２の部分（１０）の受容部（１８）内に案内された少なくとも２つ、有利には４つ若しくはこれより多くの転がり部材（１７）を有しており、該転がり部材が、シャフト（３）の第１の区分（５）の第１の部分（９）と第２の部分（１０）との間の作用結合を生ぜしめるために、半径方向運動可能若しくは軸線方向運動可能なスライダー（２２）を用いて、シャフト（３）の第１の区分（５）の第１の部分（９）の周方向に延びる凹設部（２０）内へ押し込まれるようになっていることを特徴とする錠。
【請求項２】
転がり部材（１７）が球体若しくはローラとして形成されている請求項１記載の錠。
【請求項３】
スライダー（２２）がトグルレバー（３０）を介してシャフト（３）の半径方向に移動させられるようになっている請求項１記載の錠。
【請求項４】
スライダー（２２）が電動モータ（２４）を用いて駆動されるようになっており、電動モータが出力側にウォーム（２５）を備えており、該ウォームが、２つのアーム（２６，２８）を有するばね（２７）を案内しており、この場合にばね（２７）が１つのアーム（２６）でウォーム（２５）内に枢着されかつ、別のアーム（２８）でスライダー（２２）に枢着されている請求項１記載の錠。
【請求項５】
転がり部材（１７）が少なくとも２列若しくは複数列に並べて配置されている請求項１記載の錠。
【請求項６】
スライダー（２２）の駆動部が行程マグネットとして形成されている請求項１記載の錠。
【請求項７】
スライダー（２２）が、受容部（１８）及び転がり部材（１７）を被うケーシング（１６）内に配置されている請求項１記載の錠。
【請求項８】
シャフト（３）の第１の区分（５）の第２の部分（１０）が受容部（１８）及び転がり部材（１７）の領域に直径縮小部（１９）を有しており、直径縮小部の幅がスライダー（２２）の幅にほぼ相応している請求項１記載の錠。
【請求項９】
スライダー（２２）がレバー（５６）を介してシャフト（３）の軸線方向に移動させられるようになっている請求項１記載の錠。
【請求項１０】
レバー（５６）が１つの端部で錠シリンダー（２）内に旋回可能に支承されている請求項９記載の錠。
【請求項１１】
レバー（５６）が第１の端部（５５）でスライダー（２２）の有利にはスリット（２７）として形成された開口部内に係合している請求項９記載の錠。
【請求項１２】
レバー（５６）が該レバーの中央領域（５８）でウォーム（２５）内に案内されており、該ウォームが駆動モータ（２４）の駆動軸に配置されている請求項９記載の錠。
【請求項１３】
レバー（５６）がフレームとして形成されていて、２つの突出部（６４，６９）を有しており、該突出部がレバー（５６）を一方でスライダー（２２）にかつ他方で錠シリンダー（２）に結合するために用いられている請求項９記載の錠。
【請求項１４】
レバー（５６）が第１の端部でロッド（６０）に取り付けられており、該ロッドがスライダー（２２）の長手方向に延びるように配置されていてかつスライダーに旋回可能に取り付けられている請求項１３記載の錠。
【請求項１５】
レバー（５６）が、ロッド（６０）に配置された引っ張りばね及び／又は圧縮ばね（６２）に支えられている請求項１４記載の錠。
【請求項１６】
レバー（５６）が互いに向き合う２つのピン（７１）を有しており、該ピンがウォーム（２５）のねじ溝内に係合している請求項１３記載の錠。
【請求項１７】
レバー（５６）の第１の端部の両側でスライダー（２２）にそれぞれ少なくとも１つのばね（５４）を配置してあり、該ばねがレバー（５６）の運動に際して応力を受ける若しくは弛緩されるようになっている請求項９記載の錠。
【請求項１８】
駆動モータ（２４）が錠シリンダー（２）内に配置されている請求項１記載の錠。
【請求項１９】
閉鎖突起（６）がシャフト（３）に、殊にシャフト（３）の第２の部分の第１の区分（５）に相対回動不能に結合されている請求項１記載の錠。
【請求項２０】
閉鎖突起（６）が、シャフト（３）を、殊にシャフト（３）の第２の部分の第１の区分（５）を取り囲むリング部材（３９）に配置されており、該リング部材が、ピン（４１）の受容のための孔（４０）を有しており、該孔がシャフト（３）の孔と同軸的に配置されている請求項１又は１９記載の錠。
【請求項２１】
孔（４０）が閉鎖突起（６）まで延びている請求項２０記載の錠。
【請求項２２】
ピン（４１）がシャフト（３）の第１の部分（９）に形成された溝（４２）内を接線方向に延びている請求項１記載の錠。
【請求項２３】
シャフト（３）の第１の少なくとも１つの区分（５）が二部構造で形成されており、この場合にシャフト（３）の第１の区分（５）の第１の部分（９）が、シャフト（３）の第２の区分（４）に長さ調節可能に結合されており、シャフト（３）の第１の区分（５）の第２の部分（１０）が、ハンドル（７）に相対回動不能に結合されていて、かつカップリング（１１）を介してシャフト（３）の第１の区分（５）の第１の部分（９）に結合可能である請求項１記載の錠。
【請求項２４】
シャフト（３）の第１の区分（５）の両方の部分（９，１０）が互いに同軸的に配置されている請求項２３記載の錠。
【請求項２５】
シャフト（３）の第２の区分（４）が、直径方向で相対して位置していて軸線方向に向けられた少なくとも２つの切欠き部（１２）を有しており、該切欠き部内に、シャフト（３）の第１の区分（５）の第１の部分（９）の対応する突出部（１３）が形状接続的に係合している請求項２４記載の錠。
【請求項２６】
シャフト（３）の第１の区分（５）の第２の部分（１０）が、錠シリンダー（２）の閉鎖突起（６）に結合されている請求項２５記載の錠。
【請求項２７】
閉鎖突起（６）が、シャフト（３）の第１の区分（５）の第１の部分（９）と同軸的に延びていてかつシャフト（３）の第１の区分（５）の第２の部分（１０）と形状接続的に結合しているシャフト区分に相対回動不能に取り付けられている請求項２６記載の錠。
【請求項２８】
前記シャフト区分が、シャフト（３）の第１の区分（５）の第２の部分（１０）に対して長さを調節可能である請求項２７記載の錠。
【請求項２９】
前記シャフト区分が、直径方向で相対して位置していて軸線方向に向けられた少なくとも２つの切欠き部を有しており、該切欠き部内に、シャフト（３）の第１の区分（５）の第２の部分（１０）の対応する突出部が形状接続的に係合している請求項２８記載の錠。
【発明の詳細な説明】
【技術分野】
【０００１】
本発明は、錠、殊にドア用の錠であって、殊にドア障子ないに差込可能な錠シリンダー及びシャフトを備えており、シャフトが２つの区分を有しており、この場合にシャフトの前記区分が端部にそれぞれ１つのハンドル、有利には回転ノブ若しくはレバーを有していて、認証コードの検出の後にカップリング（クラッチ）を介して互いに作用結合されるようになっている形式のものに関する。
【０００２】
前記形式の錠（錠前、ロック[Lock]）は公知であって、特に入口ドア領域でドア障子内に組み込まれ、この場合にシャフトを介してドアの開閉、即ち掛けがね若しくはラッチの運動が行われるようになっている。このために、シャフトはドア外側にハンドル、殊に自由に回転可能な回転ノブを有しており、該ハンドル若しくは回転ノブは、予め錠シリンダーを介して認証コードを確認した場合にのみ掛けがねの操作を可能にするようになっている。ドア内側に同じくハンドル、殊に自由に回転可能な回転ノブを配置してあり、該ハンドル若しくは回転ノブは基本的にドアの開放にとって認証コードの確認なしに掛けがねの操作のために用いられる。これによって、ドアは常に建物内部からのみ開かれ、建物内へ入ることは、予め該当する認証コードを導入して、外側のハンドルと掛けがねとの間の作用結合を生ぜしめた場合にのみ可能になっている。認証コードは機械的若しくは電子的に導入されてよい。認証コードは従来の鍵であってよい。さらに、キーボードを介して若しくは無線で、例えば電波交信によって認証コードを伝達することも可能である。
【０００３】
ドイツ連邦共和国特許第１９９１６７９１Ｃ１号明細書により公知の錠は、ドアのための差込式錠として形成されるようになっている。該錠は２つの区分に分割された１つのシャフトを有しており、この場合には、シャフトの各区分はそれぞれハンドルを有しており、シャフトの１つの区分を介して錠の掛けがねを操作可能である。このためにドアの外側領域にカップリングを配置してあり、カップリングはシャフトの、ドア外側に位置する区分を認証コードの確認の後にシャフトの、ドア内側に位置する区分と作用結合させるようになっている。この場合には欠点があり、即ちカップリングをシャフトの外側の区分に配置してあるので、カップリングは簡単にアクセス可能であり、従って操作可能である。さらに公知の錠においては欠点として、厚さの異なるドアにとって、シャフトによって貫通される長さの異なる錠シリンダーを用いなければならない。
【０００４】
さらにドイツ連邦共和国特許出願公開第１９８２４７１３Ａ１号明細書により、ケーシング及び該ケーシング内に回転可能に支承された閉鎖部材を備える錠シリンダーが公知である。閉鎖部材は、２つの区分に分割された１つの駆動軸に結合されており、この場合には駆動軸の両方の区分はカップリングを介して作用結合されるようになっている。カップリングは電磁石として形成されていて、アクセス権限に依存して電子制御装置によって作動されるようになっている。
【０００５】
前述の公知技術から出発して本発明の課題は、冒頭に述べた形式の錠を改善して、錠の構造を簡単にして、殊に唯一の錠シリンダーを種々のドアに利用可能にし、かつ錠止部分の容易で簡単かつ確実な操作を可能にすることである。
【０００６】
前記課題を解決するために本発明の構成では、カップリングが、シャフトの第１の区分の第２の部分の受容部内に案内された少なくとも２つ、有利には４つ若しくは４つより多い転がり部材を有しており、該転がり部材が、シャフトの第１の区分の第１の部分と第２の部分との間の作用結合を生ぜしめるために、半径方向運動可能若しくは軸線方向運動可能なスライダーを用いて、シャフトの第１の区分の第１の部分の周方向に延びる凹設部内へ押し込まれるようになっている。
【０００７】
本発明に基づく前記構成においてはスライダーが出発位置にある場合には、転がり部材は、ほぼシャフトの第１の区分の第２の部分の受容部内に位置している。従って、シャフトの第１の区分の第１の部分と第２の部分との間の作用結合は生ぜしめられない。スライダーをシャフトに向けて移動させると、スライダーは転がり部材を、シャフトの第１の区分の第１の部分の周方向に延びる凹設部内へ押し込み、これによってシャフトの第１の区分の両方の部分間の形状接続（形状による束縛）及び／又は摩擦接続（摩擦による束縛）が生ぜしめられる。シャフトの第１の区分の両方の部分間の形状接続及び／又は摩擦接続は、シャフトの第１の区分の両方の部分間の作用結合につながり、その結果、ドア外側に配置されたハンドルを介して錠の掛けがねが操作される。転がり部材(Rollkoerper)は特に球体(Kugel)若しくはローラ(Walze)として形成されている。
【０００８】
本発明の別の実施態様では、スライダーはトグルレバーを介してシャフトの半径方向に移動させられるようになっている。この種のトグルレバーは利点として、比較的に小さな力で操作可能であり、かつ出力側に相応に大きな力を生ぜしめる。
【０００９】
本発明のさらに別の実施態様では、スライダーは電動モータを用いて駆動されるようになっており、電動モータは出力側にウォームを備えており、該ウォームは、２つのアーム（脚部）を有するばねを案内しており、この場合にばねは１つのアームでウォーム内に枢着されかつ、別のアームでスライダーに枢着されている。このような手段においては利点として、電動モータはばねを介してスライダーを駆動するので、ばねの、ウォーム内に案内されたアームをウォームの一方（第１）の端部からウォームの第２の端部まで移動させるためにわずかな力しか必要としない。さらにばねは、モータの運動とスライダーの運動との間の誤差を補償するものであり、簡単な構造を成している。
【００１０】
本発明のさらに別の実施態様では、転がり部材が複数の列、少なくとも２つの列に並べて配置されている。転がり部材の互いに平行な少なくとも２つの列によって利点として、シャフトの第１の区分の両方の同軸的に配置された両方の部分の一様な走行を達成することができ、両方の部分のこのような運動はカップリングの操作に作用を及ぼすものである。原理的には、錠内に２つの転がり部材を配置しているとよい。有利には、各列毎に少なくとも４つ若しくは６つ或いは８つの転がり部材を配置してある。
【００１１】
ばねを備えた電動モータの代わりに、スライダーの駆動部は行程マグネットとして形成されていてよい。このような行程マグネットでは構成寸法を小さくでき、かつスライダーと行程マグネットとの間にばねを配置すると有利である。
【００１２】
転がり部材及びスライダーの確実な運動を可能にするために、有利にはスライダーは、孔及び転がり部材を被うケーシング内に配置されている。錠の構成寸法は有利な形式では、シャフトの第１の区分の第２の部分が孔及び転がり部材の領域に直径縮小部を有しており、直径縮小部の幅がスライダーの幅にほぼ相応していることによって減少される。直径縮小部は、スライダーの半径方向の案内にも役立っている。
【００１３】
スライダーの半径方向の運動に対する別の実施態様では、スライダーを軸線方向に運動させることも可能である。このような実施態様では、スライダーは軸線方向に延びる傾斜面を有しており、該傾斜面を介して転がり部材は、シャフトの第１の区分の互いに同軸的に配置された両方の部分間の作用結合を生ぜしめるように移動（シフト）される。
【００１４】
本発明のさらに別の実施態様では、スライダーはレバーを介してシャフトの軸線方向に移動させられるようになっている。このような手段においては利点として、レバーの軸線方向の移動運動は錠のコンパクトな構造を可能にし、構成部分全体を通常の大きさの錠シリンダー内に組み込むことができる。
【００１５】
本発明のさらに別の実施態様では、レバーは１つの端部で錠シリンダー内に旋回可能に支承されている。レバーの第２の端部はスライダーの開口部内に係合している。さらに有利には、レバーは該レバーの中央領域でウォーム内に案内されており、該ウォームは駆動モータの駆動軸に配置されている。駆動モータの駆動軸のわずかな回転で、レバーによってスライダーを両方の位置（カップリングの接続された位置と遮断された位置）間で往復させるために間に合う。このように駆動モータの駆動軸の回転数のわずかな回転は、少ないエネルギー消費につながり、従って適当なエネルギー蓄積器、例えばバッテリー若しくはアキュムレーターを極めて小さく形成することができる。
【００１６】
レバーは、本発明のさらに別の実施態様ではフレームとして形成されていて、２つの突出部を有しており、該突出部がレバーを一方でスライダーにかつ他方で錠シリンダーに結合するために用いられている。このような手段は安定性を高めるものであり、安定性は精巧な構造の構成部分にとって重要である。さらにフレーム構造はウォームでのレバーの案内に有利である。レバーはウォームを枠状に取り囲んでいる。
【００１７】
フレーム構造のレバーにおいては、レバーは第１の突出部でロッドに取り付けられており、該ロッドはスライダーの長手方向に延びるように配置されていてかつスライダーに旋回可能に取り付けられている。有利にはレバーは、ロッドに配置された引っ張りばね及び／又は圧縮ばねに支えられている。ウォームへのレバーの連結若しくは係合は有利には、互いに向き合う２つのピンを介して行われ、該ピンがウォームのねじ溝内に係合して、ウォームとレバーとの間の形状接続的な結合部若しくは連結部を形成している。
【００１８】
本発明の別の実施態様では、レバーの第２の端部の両側でスライダーにそれぞれ少なくとも１つのばねを配置してあり、該ばねはレバーの運動に際して応力（圧縮応力若しくは引っ張り応力）を受け若しくは弛緩されるようになっている。ばねはエネルギー蓄積器として、レバーの運動を助成し、従って駆動モータの必要なエネルギーにとって有利である。
【００１９】
有利には駆動モータは錠シリンダー内に配置されて、１つの構成ユニットを形成しており、該構成ユニットは簡単に組み立て可能である。このような手段においてはさらなる利点として、ドアへの後からの装備（追加装備）に際してドア障子の既存の切欠き部及び孔を利用することができる。従って、建物に取り付けられて立っているドアも、本発明に基づく錠を後から容易に装備できる。
【００２０】
錠は通常閉鎖突起を有しており、閉鎖突起は本発明に基づきシャフトに、殊にシャフトの第２の部分の第１の区分に相対回動不能に結合されている。閉鎖突起は有利には、シャフトを、殊にシャフトの第２の部分の第１の区分を取り囲むリング部材に配置されており、該リング部材が、ピンの受容のための孔を有しており、該孔がシャフトの孔と同軸的に、即ち重なり合うように配置されている。前記ピンはシャフトへの閉鎖突起の相対回動不能な確実な装着を可能にする。本発明のさらに別の実施態様では、前記孔は閉鎖突起まで延びている。これによって、比較的に長いピンを用いて、該結合部の高い安定性を得ることができる。
【００２１】
さらに本発明の実施態様では、ピンはシャフトの第１の部分に接線方向へ向けて形成された溝内を延びており、その結果、ピンはシャフトを軸線方向での強引な引き抜きに対して確実に保持している。
【００２２】
錠のさらなる改良のために、シャフトの第１の区分は二部構造で形成されており、この場合にカップリングは認証コードの確認の後の作用結合を生ぜしめるために、シャフトの両方の区分間にではなく、シャフトの第１の区分の両方の部分間に配置されている。このような配置に基づきシャフトは簡単に次のように形成でき、即ちカップリングはドア内側に配置されており、その結果、カップリングは外側からはアクセス不能であり、従って侵入を防止することができ、それというのはカップリングを操作できないからである。さらに本発明に基づく錠においては、シャフトの両方の区分は互いに長さ調節可能に結合されており、従ってシャフトはドア障子の種々の厚さに調整される。これによって利点として、基本的に所定の１つの大きさ、即ち一種類の錠シリンダーを利用することが可能である。従って、ドア障子の厚さに依存して長さの異なる錠シリンダーを準備する必要がない。
【００２３】
本発明のさらに別の実施態様では、シャフトの第１の区分の両方の部分は互いに同軸的に配置されている。これによって特に、本発明に基づく錠の極めてコンパクトな構造の利点を得ることができる。
【００２４】
本発明のさらに別の実施態様ではシャフトの第２の区分は、直径方向で相対して位置していて軸線方向に向けられた若しくは軸線方向に延びる少なくとも２つの切欠き部を有しており、該切欠き部内に、シャフトの第１の区分の第１の部分の、前記切欠き部に対応する突出部が形状接続的に係合している。シャフトの両方の区分間の前述の形状接続的な結合（形状による束縛）は確実な機能につながり、構造の十分な安定性を生ぜしめ、このような安定性は、閉鎖突起若しくは掛けがねの解放のために大きな回転力を必要とする場合にシャフトの両方の区分間の確実な結合を可能にしている。
【００２５】
本発明の有利な実施態様では、シャフトの第１の区分の第２の部分を、錠シリンダーの閉鎖突起に結合してある。閉鎖突起は１つのシャフト区分に相対回動不能に配置してあり、該シャフト区分はシャフトの区分の第１の部分に同軸的に延びていて、シャフトの第１の区分の第２の部分に形状接続的に結合されている。前記シャフト区分は有利には、シャフトの第１の区分の第２の部分に対して長さを調節可能であり、その結果、互いに結合された構成部分並びに互いに一緒に作用する構成部分の正確な調整が可能であり、錠内の運動のための力を小さくたもつことができる。
【００２６】
本発明のさらに別の実施態様では、前記シャフト区分が、直径方向で相対して位置していて軸線方向に向けられた少なくとも２つの切欠き部を有しており、該切欠き部内に、シャフトの第１の区分の第２の部分の、前記切欠き部に対応する突出部が形状接続的に係合している。
【００２７】
本発明を図示の実施例に基づき詳細に説明する。
【００２８】
図１乃至図６に示す錠１はドアのための差込式錠としてドア障子内に組み込むために形成されていて、錠シリンダー２を有しており、錠シリンダー（ロッキングシリンダー）はドア障子（図示省略）に取り付けられているものである。錠シリンダー２はシャフト３によって貫通されており、シャフトは２つの区分４，５によって形成されている。
【００２９】
区分４，５の図１には示してない端部に回転ノブを相対回動不能に装着してあり、該回転ノブを用いて錠シリンダー２の、シャフト３上に装着された閉鎖突起６は必要に応じて、錠１の錠止解除すべき認証コードの検出の後に旋回可能である。両側に設けられる前記回転ノブは図４に示してあって、符号７，８を付けられている。図４にはさらにシャフト３の原理を示してある。
【００３０】
シャフト３の区分５は二部構造で形成されていて、即ち互いに同軸的に配置された２つの部分９，１０を有しており、この場合にはシャフト３の第１の区分５の第１の部分９は第２の部分１０内に同軸的にかつ回転可能に配置されている。シャフト３の第１の区分５の第２の部分１０は長さ調節可能にシャフト３の第２の区分４に結合されている。
【００３１】
シャフト３の第１の区分５の第１の部分９と第２の部分１０との間にカップリング１１を配置してあり、該カップリング（クラッチともいう）を介して両方の部分９，１０は認証コードの検出若しくは確認の後に互いに作用結合される。
【００３２】
錠シリンダー２の閉鎖突起６は、シャフト３の第１の区分５の第２の部分１０に相対回動不能に結合されている。これによって、室内側に配置された回転ノブ７を介して閉鎖突起６はカップリング１１の遮断位置へも接続位置へも旋回させられ得る。建物外側に配置されている回転ノブ８は、シャフト３の第１の区分５の第１の部分９と第２の部分１０とをカップリング１１によって作用結合した場合にのみ、閉鎖突起６の旋回を可能にするようになっている。本発明に基づく錠においては、両方の部分９，１０の作用結合を生ぜしめる構成部材は室内側に配置されていて、従って外側からはアクセス困難、即ち接近困難で操作されにくい。
【００３３】
シャフト３の第２の区分４は回転ノブと逆の側の端部に、直径方向で相対していてかつ軸線方向に向けられた２つの切欠き部１２を有しており、該切欠き部内に、シャフト３の第１の区分５の第１の部分９の、切欠き部に対応して条片状に形成された突出部１３が形状接続的に係合している。同様に第２の区分４も条片状に形成された突出部１４を有しており、該突出部はシャフト３の第１の区分５の第１の部分９の、該突出部１４に対応して形成された切欠き部１５内に形状接続的に係合している。
【００３４】
前述の構成によって、両方の回転ノブ７，８間の間隔をドア障子（図示省略）の材料厚さに応じて調節することができ、従って錠１の規定された１つの長さの錠シリンダー２を、種々の厚さのドア障子に用いることができる。カップリング１１はケーシング１６内に配置されていて、球体として形成された４つの転がり部材１７を有しており、該転がり部材（転動体）は、シャフト３の第１の区分５の第２の部分１０に半径方向の孔として形成された受容部１８内に配置されている。受容部１８はシャフト３の第１の区分５の第２の部分１０の直径縮小部１９の領域に、それも該第２の部分の周囲にわたって等間隔に配置されている。
【００３５】
シャフト３の第１の区分５の第１の部分９は受容部１８の領域に、周面にわたって延びる凹設部２０を有している。両方の凹設部２０間にウエブ２１を形成してあるものの、該ウエブはシャフト３の第１の区分５の第１の部分９の周面を越えるものではない。
【００３６】
さらにカップリング１１はスライダー２２を有しており、スライダーはシャフト３に対して半径方向に運動可能に案内されていて、直径縮小部１９内に押し込み可能である。
【００３７】
球体として形成された転がり部材１７の直径は、受容部１８の深さよりも大きくなっている。連結解除の状態ではスライダー２２は直径縮小部１９から押し出されており、その結果、シャフト３の第１の区分５の第１の部分９は、シャフト３の第１の区分５の第２の部分１０内で自由に回転可能である。この場合に、球体として形成された転がり部材１７は、ウエブ２１へのぶつかりに際して半径方向で受容部１８内へ後退することによって自由に運動可能である。
【００３８】
前述の状態では回転ノブ８は回転させられるものの、閉鎖突起６は運動させられず、ひいては錠１は開かれない。認証コードを錠１内に入力する（このことは機械式の鍵、若しくは電子式の鍵、若しくはキーボードを介した数字コード機構によって行われる）と、該当する認証コードの検出に際してスライダーは所定の方法で直径縮小部１９内へ押し込まれ、その結果、転がり部材１７は凹設部２０内に位置し、従ってウエブ２１を越えて移動させられなくなる。これによって、シャフト３の第１の区分５の第２の部分１０と第１の部分９との間の作用結合が生ぜしめられ、その結果、回転ノブ８を介して閉鎖突起６は運動可能である。
【００３９】
図５にスライダー２２の駆動部２３の実施例を示してある。駆動部２３は電動モータ２４を有しており、電動モータは出力軸にウォーム２５を備えている。ウォーム２５内に、２つのアームを備えてほぼＬ字形に形成されたばね２７の１つのアーム２６を案内してある。ばね２７は、円柱状に形成された突出部２９に支承されており、両方のアーム２６，２８は突出部２９を中心として延びている。
【００４０】
別の、即ち第２のアーム２８はトグルレバー３０に形状係合的に、即ち形状による束縛を伴って結合されており、トグルレバーは一方では軸３１を中心として旋回可能であり、かつ他方ではスライダー２２の下側の端部に結合されている。
【００４１】
電動モータ２４のウォーム２５を回転させると、ばね２７のアーム２６は図５に示す出発位置を起点として電動モータ２４から離隔する方向へ運動させられ、その結果、ばね２７は突出部２９を中心として旋回させられる。該旋回運動によって、アーム２８は時計回り方向に運動して、トグルレバー３０を伸長位置へ移動させ、その結果、スライダー２２は半径方向でシャフト３に向けて運動させられて、球体として形成された転がり部材１７を凹設部２０内へ移し、これによってシャフト３の第１の区分５の両方の部分９，１０間に作用結合を生ぜしめる。
【００４２】
図１及び図２では、シャフト３の第１の区分５の第２の部分１０も二部構造で形成されており、この場合に、シャフト３の第１の区分５の第２の部分１０を形成する構成部材３２，３３間の結合部は、シャフト３の第１の区分５と第２の区分４との間の結合部の長さ調整可能な構成に類似して形成されている。従って、互いに合致する突出部と切欠きとを構成部材３２，３３にも設けてある。
【００４３】
錠１のための図７乃至図１０に示す第２の実施例は、同じくドアのドア障子内に組み込まれ得るように差込錠として形成されている。図７乃至図１０で図１乃至図６の第１の実施例のものに相応する構成部材には、同じ符号を付けてある。
【００４４】
錠１のための図７乃至図１０に示す第２の実施例は、錠シリンダー２を有しており、錠シリンダーはドア障子（図示省略）に取り付けられるようになっている。錠シリンダー２はケーシング３４を有しており、ケーシングは内部にシャフト３を回転可能に支承しており、シャフトは２つの区分４，５から形成されている。シャフト３の区分５は二部構造で形成され、互いに同軸的に配置された２つの部分９，１０を有しており、この場合に、シャフト３の第１の区分５の第１の部分９は第２の部分１０内に同軸的にかつ回転可能に配置されている。
【００４５】
シャフト３の第１の区分５の第１の部分９と第２の部分１０との間に、カップリング１１を配置してあり、該カップリングを介して両方の部分９，１０は、錠１の開放及び／又は閉鎖のために認証されたコードの検出に基づき互いに作用結合され、若しくは結合解除される。
【００４６】
シャフト３はケーシング３４の孔３５内に支承されていて、第１の区分５の第２の部分１０の領域でＯ・リング３６を用いてケーシング３４に対してシールされている。別のＯ・リング３６をシャフト３の第１の区分５の第１の部分９と第２の部分１０との間に配置してある。Ｏ・リング３６は、該構成部分に設けられた対応する溝３７内にはめ込まれている。
【００４７】
ケーシング３４はさらに２つのねじ孔３８を有しており、該ねじ孔内にロゼット（図示省略）の取り付けのためのねじ（図示省略）をねじ込み可能である。ロゼットに例えば回転ノブ（図示省略）を配置することもでき、該回転ノブを介して、錠シリンダー２の、シャフト３上に装着された閉鎖突起６を錠１の解除のための認証コードの検出に基づき旋回するようになっていてよい。
【００４８】
閉鎖突起６はリング部材３９と一体的に形成されており、リング部材はシャフト３の第１の区分５の第２の部分１０を取り囲んでいて、該部分に相対回動不能に結合されている。この目的のために、リング部材３９は孔４０を有しており、該孔４０はシャフト３、即ち第２の部分１０に設けられた孔と同心的に形成されている。両方の孔４０内にピン４１を差し込んであり、該ピンはリング部材３９と第２の部分１０とを形状係合的に結合している。ピン４１は、閉鎖突起６内まで達している孔４０の全長にわたって延びている。
【００４９】
シャフト３の第１の区分５の第１の部分９の領域でピン４１は環状の溝４２内に係合していて、カップリング１１のロックされていない状態で両方の部分９，１０間の相対的な回転運動を妨げないようになっている。溝４２及びピン４１を介して、両方の部分９，１０は軸線方向で互いに連結されている。
【００５０】
シャフト３の第１の区分５の第２の部分１０に閉鎖突起６を相対回動不能に結合してあることに基づき、閉鎖突起６は、室内側に配置されていて図７で左側に設けられるべき回転ノブを介して、カップリング１１の遮断された状態でも接続（ロック）された状態でも旋回させられる。建物の外側に配置されていて図７で右側に設けられるべき回転ノブは、シャフト３の第１の区分５の第１の部分９と第２の部分１０との間の作用結合をカップリング１１によって生ぜしめてある場合にのみ、閉鎖突起６の旋回のために役立つ。明らかなように本発明に基づく錠においては、両方の部分９，１０間の作用結合を生ぜしめる構成部材は、室内側に配置されていて、従って外側からはアクセスが困難で操作されにくい。
【００５１】
カップリング１１は錠シリンダー内に配置されていて、球体として形成された４つの転がり部材１７を有しており、該転がり部材は、シャフト３の第１の区分５の第２の部分１０に半径方向の孔として形成された受容部１８内に配置されている。受容部１８はシャフト３の第１の区分５の第２の部分１０の周囲にわたって等間隔に配置されている。
【００５２】
シャフト３の第１の区分５の第１の部分９は受容部１８の領域に、周面にわたって延びる凹設部２０を有している。両方の凹設部２０間にウエブを形成してあるものの、該ウエブはシャフト３の第１の区分５の第１の部分９の周面を越えるものではない。
【００５３】
さらにカップリング１１はスライダー２２を有しており、スライダーはシャフト３に対して軸線方向に運動可能に案内されている。スライダー２２はケーシング３４の中空室４３内に配置して案内されていて、図９では、長手方向に延びる孔４４を有するベース部材４５から成っており、ベース部材に案内部材４６を配置してある。
【００５４】
前記孔４４はベース部材４５の側にスリット４７を備えており、スリット内にレバー５６（図１０）を案内してある。案内部材４６は該案内部材の、シャフト３に向いた領域を、ほぼシャフト３の外周面の一部分に相応して形成されていて、かつ第１の案内区分５０、第２の案内区分５１及び、両方の案内区分５０，５１間をつなぐ傾斜面５２を有している。第１の案内区分５０は、シャフト３の第１の区分５の第１の部分９の外周面に対して、少なくとも転がり部材１７の直径に相応する距離を置いて配置されている。球体として形成された転がり部材１７の直径は、受容部１８の深さよりも大きくなっている。第２の案内区分５１は、シャフト３の第１の区分５の第１の部分９の外周面に対して、転がり部材１７の直径よりも著しく小さい距離を置いて配置されている。二部構造で形成されたスライダー２２は、図９に示す第１の半部の領域で端面に突起５３を有しており、該突起はスライダー２２の図示してない半部の対応する孔内に摩擦力を伴って差し込まれるようになっている。
【００５５】
スライダー２２を、第１の案内区分５０が転がり部材１７の下側に相対する位置へ移すと、カップリング１１は遮断され、即ち断たれて、シャフト３の第１の区分５の第１の部分９と第２の部分１０とは互いに相対的に回動可能になる。いまスライダー２２を、第２の案内区分５１が転がり部材１７の下側の領域に達する位置へ移すと、転がり部材１７は傾斜面５２を介して凹設部２０内へ押し込まれ、その結果、シャフト３の第１の区分５の両方の部分９，１０間の形状係合による結合が生ぜしめられる。このような状態ではカップリング１１は接続され、即ち継がれている。
【００５６】
ベース部材４５の孔４４内に２つのばね５４をはめ込んであり、該ばねは端面で孔４４に支えられている。両方のばね５４間にレバー５６の第１の端部５５を配置してあり、該レバーは第２の端部５７で錠シリンダー２のケーシング３４内に旋回可能に支承されている。レバー５６はベース部材４５のスリット４７に沿って移動可能であり、該移動距離はばね５４によって制限されている。レバー５６は中央部分５８で以てウォーム２５に係合しており、該ウォームは電動モータ２４の出力軸に相対回動不能に配置されている。
【００５７】
電動モータ２４は中空室４３内でスライダー２２の下側に配置されている。横断面を円形に形成されたレバー５６は、図１０に詳細に示してあり、スライダー２２の移動のためにウォーム２５を介して相対する方向に運動可能である。レバー５６の第２の端部５７は折り曲げられている。
【００５８】
ばね５４によってスライダー２２の運動を緩衝してあり、これによって、カップリング１１の衝撃的な接続を避けるようになっている。さらにばね５４は、カップリング１１の遮断位置から接続位置へ、かつ接続位置から遮断位置へのスライダー２２の運動を助成する。従って全体的にスライダー２２の一様な移動運動を得ることができる。ばね５４は、スライダー２２の運動が妨げられている場合のエネルギー蓄積器としても役立つ。
【００５９】
電動モータ２４はケーブル（図示省略）、特にリッツ線を介して電子制御装置（図示省略）に接続されている。ケーブルはケーブル通路５９を通して導かれており、ケーブル通路はケーシング３４の下側の部分に錠シリンダー２の長手方向へ配置されている。ケーブル通路５９は１ｍｍの内法幅を有していて、中空室４３内への湿気及び／又は汚れの侵入を防止するために、中空室４３に対して例えばゴムシールによって密閉されている。同じ目的でＯ・リング３６も設けられている。
【００６０】
電子制御装置は、認証コードの判断のために役立つものである。電子制御装置によって、錠１の操作が許されるべき認証コードを認識すると、電動モータ２４は所定の時間にわたって制御され、かつウォーム２５が回転される。スライダー２２はレバー５６を介して運動させられ、これによってカップリング１１が接続され、この場合に電動モータ２４の制御を時間的にスライダー２２の運動と合致させなくてもよい。接続された状態では閉鎖突起６はシャフト３の両方の区分４，５によって操作でき、その結果、錠１は外側からも内側からも開けられ得る。電子制御装置はロゼット及び／又は回転ノブ８内に配置されていてよい。
【００６１】
閉じられている、即ち錠止されている状態では、図示してない外側の回転ノブは回転されるものの、閉鎖突起６は運動させられず、ひいては錠１は開けられない。いま認証コードを錠１内に導入する（このことは機械式の鍵、若しくは電子式の鍵、若しくはバイオメトリックスセンサー、若しくはトランスポンダー、若しくは電波送信、キーボードを介した数字コード機構によって行われる）と、該当する認証コードの検出、即ち認識に際してスライダーは錠シリンダー２の軸線方向に移動させられ、その結果、転がり部材１７は凹設部２０内に位置し、従って隣接の凹設部間のウエブ２１を越えて移動させられなくなる。これによって、シャフト３の第１の区分５の第２の部分１０と第１の部分９との間の作用結合が生ぜしめられ、その結果、回転ノブ８を介して閉鎖突起６は運動可能である。
【００６２】
図１１には錠の別の実施例を示してあり、この場合に図７の実施例のものに相当する構成部分には同じ符号を付けてある。次に両方の実施例の間の相違について詳細に説明する。
【００６３】
図１１の実施例においてスライダー２２は、シャフト３に向いた表面を図７のスライダー２２の表面に相応して形成されていて、かつ相対する面に円柱状のロッド６０を有しており、該ロッド（ピン）は一方の端部６１でスライダー２２に旋回運動可能に枢着されている。ロッド６０は引っ張り兼圧縮ばね６２によって取り囲まれていて、前記端部６１と相対する自由な端部で以てレバー５６の突出部６４の孔６３を貫通している。孔６３の直径は、ロッド６０の直径よりもわずかに大きくなっており、従ってロッド６０は突出部６４の孔６３内にわずかな遊びで案内されている。
【００６４】
図１２ではレバー５６は枠状（フレーム状）に形成されていて、ここではほぼ方形に形成されたベース部材（本体）６５を有しており、該ベース部材は開口部６６を画成している。ベース部材６５は、互いに平行に配置された長い２つの脚部６７と該長い脚部を連結する同じく互いに平行に配置された短い２つの脚部６８とから成っている。脚部６７，６８は互いに円弧を成してつながっている。
【００６５】
上側の短い脚部６８の外面の領域に第１の突出部６４を配置してあり、該突出部は孔６３を備えている。相対して、第２の短い脚部６８の外面に第２の突出部６９を配置してあり、該突出部にピン７０を取り付けてあり、該ピンは短い脚部６８の長手方向に対して平行に延びていて、かつ錠１のケーブル通路５９の領域で錠の対応する孔内に差し込まれるようになっており、これによってレバー５６は中空室４３内にピン７０を介して旋回可能に支承されている。
【００６６】
長い脚部６７は内面に、互いに向き合わされた２つのピン７１を有しており、該ピンは円錐台状に形成されていて、ウォーム２５のウォームねじ溝内に係合するようになっている。従ってウォーム２５の回転によって、レバー５６はピン７０を中心として旋回させられ、その結果、レバーとロッド６０との連結に基づきスライダー２２を、引っ張り兼圧縮ばね６２によって助成して錠１の長手方向へ移動させて、カップリング１１を開閉、即ち断ち継ぎする。
【００６７】
第２の区分４は連行ピン７２を介して第１の部分９に結合されており、これによって引っ張り力及び押圧力は、第２の区分４と第１の部分９とが互いに同軸的になっていない場合、即ち第２の区分の軸線と第１の部分の軸線とが互いにずれている場合にも、第２の区分４若しくは第１の部分９を損傷することなく伝達可能である。
【００６８】
同じことが、第２の部分１０と該部分に接続される駆動軸７３とにも当てはまる。このために、図１１の第２の区分１０は錠１の長手方向の受容開口部７４を有している。受容開口部７４内に駆動軸７３を差し込んであり、駆動軸は、受容開口部７４内に位置する端部に半径方向へ延びる孔を有しており、該孔は連行ピン７２によって貫通されている。
【００６９】
シャフト３の第２の部分１０は、受容開口部７４のある端部に半径方向孔７５を有しており、該半径方向孔も同じく連行ピン７２によって貫通されており、この場合に半径方向孔７５の直径は連行ピン７２の直径よりもわずかに大きくなっている。この場合に、直径は半径方向の両方の端部で互いに異なる大きさであってよい。
【００７０】
錠１の別の実施例を図１３に示してある。該実施例は図１１の実施例にほぼ相応しており、相応の構成部分には同じ符号を付けてある。
【００７１】
図１１の実施例と異なる点として、引っ張り兼圧縮ばね６２は、引っ張り兼圧縮ばねの全長にわたってロッド上に配置されるのではなく、１つの端部の一部分で以てロッド６０上に配置されており、ロッドはスライダー２２の構成要素である。引っ張り兼圧縮ばね６２の別の、即ち第２の端部をレバー５６に取り付けてある。レバー５６は駆動モータ２４のウォーム２５によって旋回させられ、これによって引っ張り兼圧縮ばね６２は応力を受け若しくは弛緩される。スライダー２２をウォーム２５に係合させるために、図１３には図示してない２つの突出部をスライダー２２に配置してある。スライダー２２の移動は引っ張り兼圧縮ばね６２を介して行われる。
【００７２】
スライダー２２は前述の実施例ではプラスチックから成形されていて、図１２に示すスライダー２２にほぼ相応している。
【００７３】
図１３の錠１はさらに受容部７６を有しており、該受容部内には基板７７を挿入してあり、該基板は例えば、モータ２４の制御のための制御回路及び必要に応じて機密のデータを含んでいる。基板７７は評価基板として形成されていてよい。
【００７４】
さらに錠１はシャフト３の両方の区分４，５間にノッチ７８を有している。係止部分７８は、スライダー２２の操作に際して、特に接続位置から遮断位置へのスライダー２２の運動に際して、転がり部材１７及びスライダー２２の締め付け若しくは引っ掛かりを避けるためにシャフト３の両方の区分４，５が所定の位置に配置され、即ち受容部１８が凹設部２０上に位置決めして配置されていることを保証している。
【００７５】
係止部分７８は、シャフト３の第２の区分３の袋孔として形成された半径方向孔７９及び第１の区分５の半径方向孔８０を有している。半径方向孔７９内にばね８１及び球体８２を支承してあり、球体は規定された位置で第１の区分５の孔８０内に押し込まれるようになっている。球体８２の直径は半径方向孔８０の直径よりもわずかに大きくなって、球体８２の押し出しを避けるようになっている。
【図面の簡単な説明】
【００７６】
【図１】錠のシャフト及び錠シリンダーの部分を側方から見た斜視図
【図２】図１のシャフトを側方から見た斜視図
【図３】図２のシャフトの一部分を側方から見た斜視図
【図４】図２のシャフトの原理を側面で示す概略図
【図５】図１の錠のカップリングを側方から見た斜視図
【図６】図５のカップリングをケーシングの開いた状態で示す概略図
【図７】錠の第２の実施例の縦断面図
【図８】錠の第２の実施例のシャフト及び駆動部の斜視図
【図９】図７及び図８の錠のためのスライダーの斜視図
【図１０】スライダーの操作のためのレバーの斜視図
【図１１】錠の第３の実施例の縦断面図
【図１２】図１１の錠内のスライダーの操作のためのレバーの斜視図
【図１３】錠の第４の実施例の縦断面図
【符号の説明】
【００７７】
１  錠、  ２  錠シリンダー、  ３  シャフト、  ４，５  区分、  ６  閉鎖突起、  ９，１０  部分、  １１  カップリング、  １２  切欠き部、  １３，１４  突出部、  １５  切欠き部、  １６  ケーシング、  １７  転がり部材、  １８  受容部、  １９  直径縮小部、  ２０  凹設部（切欠き部）、  ２１  ウエブ、  ２２  スライダー、  ２３  駆動部、  ２４  電動モータ、  ２５  ウォーム、  ２６  アーム、  ２７  ばね、  ２８  アーム、  ２９  突出部、  ３０  トグルレバー、  ３１  軸、  ３２，３３  構成部材、  ３４  ケーシング、  ３５  孔、  ３６  Ｏ・リング、  ３７  溝、  ３８  ねじ孔、  ３９  リング部材、  ４０  孔、  ４１  ピン、  ４３  中空室、  ４４  孔、  ４５  ベース部材、  ４６  案内部材、  ５０，５１  案内区分、  ５２  傾斜面、  ５３  突起、  ５４  ばね、  ５５  端部、  ５６  レバー、  ５７  端部、  ５８  中央部分、  ６０  ロッド、  ６１  端部、  ６２  引っ張り兼圧縮ばね、  ６３  孔、  ６４  突出部、  ６５  ベース部材、  ６６  開口部、  ６７，６８  脚部、  ６９  突出部、  ７０，７１  ピン、  ７２  連行ピン、  ７３  駆動軸、  ７４  受容開口部、  ７５  半径方向孔、  ７９，８０  半径方向孔、  ８０  ばね、  ８２  球体
【図１】
2005520956.tif 000003
【図２】
2005520956.tif 000004
【図３】
2005520956.tif 000005
【図４】
2005520956.tif 000006
【図５】
2005520956.tif 000007
【図６】
2005520956.tif 000008
【図７】
2005520956.tif 000009
【図８】
2005520956.tif 000010
【図９】
2005520956.tif 000011
【図１０】
2005520956.tif 000012
【図１１】
2005520956.tif 000013
【図１２】
2005520956.tif 000014
【図１３】
2005520956.tif 000015
【国際調査報告】
2005520956.tif 000016
2005520956.tif 000017
2005520956.tif 000018
2005520956.tif 000019
2005520956.tif 000020
2005520956.tif 000021